(57)【要約】  照明システムは、第１のエネルギストレージデバイスを備える第１の照明ユニット及び第２のエネルギストレージデバイスを備える第２のユニットを含み、前記第１の照明ユニット及び前記第２のユニットは、互いに空間的に分離されている。  第１のエネルギストレージデバイスのエネルギは、とりわけ第１のエネルギストレージデバイスの位置に関する、火災警報信号等のハザード信号の受信に応答して、第２のエネルギストレージデバイスに移されることができる。  このシステムは、オフィス環境で使用される等の、ネットワーク化された照明システムを有する建物内の火災リスクを減らす。
2020517062.tif 000002
【特許請求の範囲】
【請求項１】
第１のエネルギストレージデバイスを備える第１の照明ユニットと、
第２のエネルギストレージデバイスを備える第２のユニットであって、前記第１の照明ユニット及び前記第２のユニットは、互いに空間的に分離されている、第２のユニットと、
ハザードを示す信号を受信するよう構成されるインターフェースと、
前記信号の受信に応答して前記第１のエネルギストレージデバイスのエネルギを前記第２のエネルギストレージデバイスに移すよう構成されるコントローラと
を含む、照明システム。
【請求項２】
前記コントローラは、前記信号からハザード位置を取得するよう構成される、請求項１に記載の照明システム。
【請求項３】
当該照明システムは、前記第１の照明ユニットを含む複数の照明ユニットを含み、前記コントローラは、前記ハザード位置に比較的近いことに基づいて等、前記ハザード位置に基づいて前記第１の照明ユニットをエネルギ移動を必要とするものとして識別するよう構成される、請求項２に記載の照明システム。
【請求項４】
前記コントローラは、前記ハザード位置から比較的遠い又は安全であることに基づいて等、前記ハザード位置に基づいて前記第２のユニットを移されるエネルギを受けるのに適したものとして識別するよう構成される、請求項３に記載の照明システム。
【請求項５】
前記第２のユニットは、前記ハザードに応じて避難する経路に沿った複数の照明ユニット内の照明ユニットである、請求項３又は４に記載の照明システム。
【請求項６】
前記第２のユニットは、専用のエネルギストレージデバイスを備え、前記第２のエネルギストレージデバイスは、電気化学ストレージデバイス、電気機械ストレージデバイス、又は電気ストレージデバイスを備える、請求項１乃至４のいずれか一項に記載の照明システム。
【請求項７】
前記コントローラは、ハザードを示す前記信号に応答して前記第１のエネルギストレージデバイス内のエネルギを安全な閾値レベル以下に低下させるよう構成される、請求項１乃至６のいずれか一項に記載の照明システム。
【請求項８】
前記コントローラは、前記ハザードが無くなった場合、前記第２のエネルギストレージデバイス内の移された前記エネルギを前記第１のエネルギストレージデバイスに移すよう構成される、請求項１乃至７のいずれか一項に記載の照明システム。
【請求項９】
当該照明システムは、前記第１の照明ユニット及び前記第２のユニットを相互接続するＤＣラインを含み、前記コントローラは、前記ＤＣラインを介して前記第１のエネルギストレージデバイスを前記第２のエネルギストレージデバイスと結合するよう構成される、又は
当該照明システムは、前記第１の照明ユニット、前記第２のユニット及びＡＣ主電源入力を相互接続するＡＣラインを含み、前記第１の照明ユニットは、インバータを備え、前記コントローラは、当該照明システムを前記ＡＣ主電源入力からアイソレートし、前記第１の照明ユニットの前記インバータ及び前記ＡＣラインを介して前記第１のエネルギストレージデバイスを前記第２のエネルギストレージデバイスと結合するよう構成される、請求項１乃至８のいずれか一項に記載の照明システム。
【請求項１０】
前記第１のエネルギストレージデバイスは、各々１００Ｗｈ以下の容量を有する複数のバッテリを備え、前記複数のバッテリは、前記第１の照明ユニット内で互いにずらして配置されている、請求項１乃至９のいずれか一項に記載の照明システム。
【請求項１１】
第１のエネルギストレージデバイスを備える第１の照明ユニット及び第２のエネルギストレージデバイスを備える第２のユニットを含む照明システムを制御する方法であって、前記第１の照明ユニット及び前記第２のユニットは、互いに空間的に分離され、当該方法は、
ハザードを検出するステップと、
前記ハザードの検出に応答して前記第１のエネルギストレージデバイスのエネルギを前記第２のエネルギストレージデバイスに移すステップと
を含む、方法。
【請求項１２】
ハザード位置を決定するステップと、前記ハザード位置への近接性に基づいて前記第１の照明ユニットをエネルギ移動を必要としているものとして識別するステップと、前記ハザード位置からの遠隔性に基づいて前記第２のユニットを移されるエネルギを受けるのに適しているものとして識別するステップとを含む、請求項１１に記載の方法。
【請求項１３】
前記ハザードに応じて避難する経路に沿って非常用照明を提供するステップを含む、請求項１１又は１２に記載の方法。
【請求項１４】
前記第１のエネルギストレージデバイス内のエネルギを安全な閾値レベル以下に低下させるステップを含む、請求項１１、１２又は１３に記載の方法。
【請求項１５】
コンピュータプログラムであって、当該コンピュータプログラムがコンピュータで実行される場合、請求項１１乃至１４のいずれか一項に記載の方法を実施するよう構成されるコンピュータプログラムコード手段を含む、コンピュータプログラム。
【発明の詳細な説明】
【技術分野】
【０００１】
本発明は、照明ネットワークに関し、とりわけ、ローカルバッテリバックアップを備える照明ユニット（照明器具）を含む照明ネットワークに関する。
【背景技術】
【０００２】
ＬＥＤランプの出現により、照明に必要な電力は著しく減っている。例えば１〜２時間の主電源の供給停止を許容するためにバッテリを照明器具に統合することも可能である。
【０００３】
コストの削減とエネルギ密度の増加に伴い、リチウムイオンバッテリはますます一般的になり、よく使用されるようになっている。しかしながら、リチウムイオンバッテリは、リチウム材料を理由とする固有のリスクをもたらす。二次リチウムイオンバッテリでは、リチウム化合物が電極材料に挿入されている(intercalated)にもかかわらず、電解質材料が可燃性であり、セルが加圧されるため、依然として安全性への懸念がある。
【０００４】
結果として、上昇した温度における爆発に起因する安全上のハザードリスクがあり、これは、火災を招く恐れがある。これは、とりわけリチウムイオンバッテリに当てはまるが、他のタイプのバッテリにも当てはまる。とりわけ、バッテリはすべて電気エネルギを化学形態で貯蔵し、これらの化学物質の多くは一般に火災リスクをもたらす。
【０００５】
スマートフォン等のポータブルデバイスでは、貯蔵されるエネルギの量は非常に少なく、そのようなデバイスは安全であると考えられる。これは、例えば、（リチウムイオンバッテリが製品に組み込まれている）そのようなデバイスを飛行機による旅行で持ち運ぶことが許可されることを意味し、これらのアプリケーションにおけるバッテリは、典型的には、１００Ｗｈ又は８ｇ相当のＬｉに制限される。しかしながら、予備のバッテリ、追加のバッテリバックアップシステム等は、航空輸送に関する制限がある。これは、特定の梱包及び安全対策が必要とされるセル及びバッテリの積荷にも当てはまる。
【０００６】
一般に、オフィスの照明用途に使用されるリチウムイオンバッテリの密度は、１５０〜２５０Ｗｈの範囲である。
【０００７】
日本特許出願公開第2014/075906号では、建物内の火災の検出に基づく照明システムの照明器具用バッテリ放電システムを実装することが提案されている。この放電システムは、放電抵抗によってバッテリ内のエネルギを消費する、又はエネルギをグリッドに供給する。すなわち、エネルギは永遠に消えてしまう。これは、各照明器具のコストの増加及びエネルギ消費の増加をもたらし、照明システム全体には数百の照明器具があり得るため、材料及びエネルギの総コストの増加が著しくなる。誤警報は、バッテリの放電及び貯蔵されたエネルギの損失に加えて、残りのサイクル寿命の低下につながる。
【０００８】
さらに、火災により主電源が失われる可能性があり、ゆえに、照明器具のバッテリを放電することは、最も肝心なときに、非常用照明がもはや利用できないことを意味する。
【発明の概要】
【発明が解決しようとする課題】
【０００９】
したがって、火災の場合に照明器具の安全を保証するが、上記で概説した不利な点を回避するシステムの必要性がある。
【課題を解決するための手段】
【００１０】
本発明の実施形態の基本的な考え方は、火災の場合に、いくつかの照明ユニット（照明器具）のバッテリ内のエネルギを、永遠に消費されてしまうことなく、別の照明ユニット（照明器具）又は専用のエネルギストレージファシリティ等の別のユニットのバッテリに移す(relocate)ということである。この移動(relocating)を可能にする１つのアーキテクチャが、国際出願公開第2013/182927号に開示されている。これは、各々が個別のバッテリを備える照明器具のネットワークを開示している。ある照明器具のバッテリが低い場合、他の照明器具内のエネルギが、該照明器具にルーティングされる(routed)ことができる。この従来技術では、リロケートされた(re-located)エネルギは、照明器具のバッテリを充電することなく、照明出力を維持するために該照明器具によって消費される。
【００１１】
本発明は、特許請求の範囲により規定される。
【００１２】
本発明の一態様による例によれば、
第１のエネルギストレージデバイスを備える第１の照明ユニットと、
第２のエネルギストレージデバイスを備える第２のユニットであって、第１の照明ユニット及び第２のユニットは、互いに空間的に分離されている、第２のユニットと、
ハザードを示す信号を受信するよう構成されるインターフェースと、
前記信号の受信に応答して第１のエネルギストレージデバイスのエネルギを第２のエネルギストレージデバイスに移す(relocate)よう構成されるコントローラと
を含む、照明システムが提供される。
【００１３】
このシステムは、オフィス環境で使用される等の、ネットワーク化された照明システムを有する建物の火災リスクを減らす。照明ユニットのエネルギストレージデバイス（すなわち、バッテリ）は、第２のエネルギストレージデバイスに放出される。このようにして、エネルギは、非常用負荷を介す等単に放散されるのではなく、著しい損失なしにシステム内で再分配され(redistributed)、エネルギのより効率的な使用が達成される。エネルギ移動(energy relocation)は、システム内の異なるエネルギストレージデバイスの充電及び放電特性、並びにそれらの現在の充電状態を考慮してもよい。斯くして、エネルギ移動は、エネルギストレージデバイスの寿命を維持するように実行されることができる。
【００１４】
第１の照明ユニット内のエネルギストレージデバイスは、好ましくは、リチウムイオンバッテリ等のバッテリである。これは、典型的には、１００Ｗｈ以上、例えば、１５０Ｗｈ〜２５０Ｗｈの範囲のエネルギ貯蔵容量を有する。
【００１５】
例えば、ハザードを示す信号は、煙探知器及び温度検出器等のハザードセンサのネットワークを有するビルディングマネジメントシステムから生じる。代替的に、ハザードを示す信号は、ハザードに最も近い第１の照明ユニットのローカルセンサから生じる。ハザードは、過熱等の誤作動に起因する照明ユニット自体の内的ハザード、又は部屋の火災等の外的ハザードである可能性があることに留意されたい。
【００１６】
実際には、好ましくは、システム内に数十又は数百もの照明ユニットがある。
【００１７】
コントローラは、前記信号からハザード位置(hazard location)を取得するよう構成されてもよい。ハザード位置を特定することにより、エネルギ移動は、ハザードの近くにある照明ユニット及びハザードの直近から離れた照明の必要性を考慮して、インテリジェントに制御されることができる。
【００１８】
当該システムは、第１の照明ユニットを含む複数の照明ユニットを含み、コントローラは、ハザード位置に比較的近いことに基づいて等、ハザード位置に基づいて第１の照明ユニットをエネルギ移動を必要とするものとして識別するよう構成されてもよい。
【００１９】
このようにして、システムは、火災ハザードに近い照明ユニットを安全にすることができる。
【００２０】
コントローラは、ハザード位置から比較的遠い、又は退避エリア等ハザードに対して安全な場所にあることに基づいて等、ハザード位置に基づいて第２のユニットを移されるエネルギを受けるのに適したものとして識別するよう構成されてもよい。このようにして、リスクは可能な限り低減される。
【００２１】
第２のユニットは、前記ハザードに応じて避難する経路に沿った複数の照明ユニット内の照明ユニットであってもよい。斯くして、非常用照明が維持されることができる。このようにして、エネルギの放出は、ハザード（例えば、火事）位置に依存して行われるので、システムは、人々が建物を出るよう誘導するために不可欠な照明を維持することができる。
【００２２】
代わりに、第２のユニットは、専用のエネルギストレージデバイスを備えてもよく、第２のエネルギストレージデバイスは、電気化学ストレージデバイス、電気機械ストレージデバイス、又は電気ストレージデバイスを備えてもよい。
【００２３】
当該システムは照明ユニットのみを有し、エネルギは照明ユニット間で再分配されてもよい。しかしながら、この特徴によれば、専用の（非照明）エネルギストレージユニットが設けられる。これは、建物外又は耐火災及び耐熱エンクロージャ内等、あらゆる火災リスクから離れた位置にあってもよい。
【００２４】
コントローラは、ハザードを示す信号に応答して、第１のエネルギストレージデバイス内のエネルギを安全な閾値レベル以下に低下させるよう構成されてもよい。貯蔵される化学エネルギは、リスクレベルを下回るが、サイクル寿命のロスを防ぐように減らされてもよい。
【００２５】
コントローラは、ハザードが無くなった場合、第２のエネルギストレージデバイス内の移された前記エネルギを第１のエネルギストレージデバイスに移すよう構成されてもよい。このようにして、エネルギは消散されず、第１の照明ユニットに使用するために依然として利用可能である。
【００２６】
当該照明システムはさらに、
第１の照明ユニット及び第２のユニットを相互接続するＤＣラインを含み、コントローラは、ＤＣラインを介して第１のエネルギストレージデバイスを第２のエネルギストレージデバイスと結合するよう構成されてもよく、又は
第１の照明ユニット、第２のユニット及びＡＣ主電源入力を相互接続するＡＣラインを含み、第１の照明ユニットは、インバータを備え、コントローラは、当該照明システムをＡＣ主電源入力からアイソレートし(isolate)、第１の照明ユニットのインバータ及びＡＣラインを介して第１のエネルギストレージデバイスを第２のエネルギストレージデバイスと結合するよう構成されてもよい。
【００２７】
斯くして、ＤＣ又はＡＣ配線の再利用で、エネルギ再分配システムを実装するさまざまな方法がある。
【００２８】
第１のエネルギストレージデバイスは、各々１００Ｗｈ以下の容量を有する複数のバッテリを備え、複数のバッテリは、第１の照明ユニット内で互いにずらして配置されてもよい。
【００２９】
これは、ユニット内の火災リスクを低減させる。例えば、バッテリは、所望の全体容量に達するように直列に接続されてもよく、ハザード信号に応じて、互いに電気的に切断されてもよい。
【００３０】
本発明の別の態様による例は、第１のエネルギストレージデバイスを備える第１の照明ユニット及び第２のエネルギストレージデバイスを備える第２のユニットを含む照明システムを制御する方法であって、第１の照明ユニット及び第２のユニットは、互いに空間的に分離され、当該方法は、
ハザードを検出するステップと、
前記ハザードの検出に応答して第１のエネルギストレージデバイスのエネルギを第２のエネルギストレージデバイスに移すステップと
を含む、方法が提供される。
【００３１】
この方法は、火災ハザードから遠くにエネルギを移すようにデバイスのネットワーク内でエネルギをシフトする。
【００３２】
当該方法は、ハザード位置を決定するステップと、ハザード位置への近接性に基づいて第１の照明ユニットをエネルギ移動を必要としているものとして識別するステップと、ハザード位置からの遠隔性に基づいて第２のユニットを移されるエネルギを受けるのに適しているものとして識別するステップとを含んでもよい。
【００３３】
緊急用照明は、前記ハザードに応じて避難する経路に沿って提供されてもよい。第１のエネルギストレージデバイス内のエネルギは、安全な閾値レベル以下に低下されてもよい。
【００３４】
本発明は、少なくとも部分的にソフトウェアで実施されてもよい。例えば、当該方法は、照明システムコントローラ及びビルディングマネジメントシステムによって共同して実施されてもよい。
【００３５】
本発明のこれらの及び他の態様は、以下に述べられる実施形態を参照して明らかになり、詳述されるであろう。
【図面の簡単な説明】
【００３６】
以下、本発明の例を添付の図面を参照して詳細に述べる。
【図１】図１は、照明システムを示す。
【図２】図２は、照明システムを制御する方法を示す。
【図３】図３は、図１のシステムで使用する照明ユニットの代替的なデザインを示す。
【発明を実施するための形態】
【００３７】
本発明は、第１のエネルギストレージデバイスを備える第１の照明ユニット及び第２のエネルギストレージデバイスを備える第２のユニットを含み、第１の照明ユニット及び第２のユニットは、互いに空間的に分離されている、照明システムを提供する。
【００３８】
第１のエネルギストレージデバイスのエネルギは、とりわけ第１のエネルギストレージデバイスの位置に関する、火災警報信号等のハザード信号の受信に応答して、第２のエネルギストレージデバイスに移されることができる。
【００３９】
このシステムは、オフィス環境で使用される等の、ネットワーク化された照明システムを有する建物内のエネルギストレージデバイスに対する火災リスクを減らす。
【００４０】
図１は、照明ユニット１２のネットワークを含む照明システム１０を示している。リチウムイオンバッテリ等の第１のエネルギストレージデバイス１４及び光出力デバイス１５を備える第１の照明ユニットが少なくとも存在する。図１は、別のエネルギストレージデバイス１８を有するエネルギストレージユニット１６も示している。このユニットは、照明ユニットを有していない。エネルギストレージユニットは、照明ユニットで使用されるものと同じ又は異なる一般的なタイプの別のバッテリを備えてもよい。又は、エネルギストレージユニットは、バッテリではないが、異なるタイプの電気化学ストレージデバイス、又は実際には電気機械ストレージデバイス、又は電気ストレージデバイスであるストレージデバイスを備えてもよい。
【００４１】
斯くして、第２のエネルギストレージデバイスを備える少なくとも１つの第２のユニットが存在する。第２のユニットは、別の照明ユニット１２であってもよく、又はエネルギストレージユニット１６であってもよい。システム１０は、以下で説明されるように適応的に、エネルギストレージデバイス１４間、又はエネルギストレージデバイス１４とシステムのエネルギストレージデバイス１８との間のエネルギ移送(energy transfer)を可能にするように設計されている。
【００４２】
照明ユニット及びエネルギストレージユニットは、互いに空間的に分離されている。例えば、これらは、建物内の異なる部屋、又は異なる部屋の異なる部分にある。非照明エネルギストレージユニット１６は、建物外、又は建物内の比較的安全なエリアにあってもよい。
【００４３】
各照明ユニット１２は照明ユニットコントローラ２０を有し、照明システムコントローラ２２が存在する。１つ又は複数のエネルギストレージユニット１６は、エネルギ移送プロセス、並びに充電及び放電サイクルを制御するためのローカルコントローラ２３も有する。照明ユニットコントローラ２０は、光出力デバイス１５の動作を制御し、エネルギ移送機能、並びに充電及び放電サイクルの制御も行う。各照明ユニット１２及びエネルギストレージユニット１６は、照明システムコントローラ２２から制御信号を受信する。
【００４４】
照明システム１０は、火災等のハザードを示す、照明システムの一部を形成するセンサによって生成され得る又は外部システムによって生成され得る、入力２５を受ける。図１の例では、この信号２５は、センサ２６から入力を受けるビルディングマネジメント（ＢＭＳ）２４から生じる。ＢＭＳは、高温及び／又は煙の検出に基づいて火災ハザードの存在及び位置を特定することができる。ハザード信号２５は、照明システムコントローラ２２に提供される。追加的又は代替的に、過熱情報を提供するために各照明ユニットにおける温度検知が行われてもよい。斯くして、ハザードは、照明ユニットの誤作動に起因する内的過熱、又は外部の火災ハザードに起因する外的過熱に関連する可能性がある。
【００４５】
照明システムコントローラ２２は、ハザード信号２５の受信に応答して、少なくとも１つのエネルギストレージデバイスのエネルギをシステム内の少なくとも１つの他のエネルギストレージデバイスに移すよう構成される。
【００４６】
最も単純な実装例では、エネルギは、照明ユニットからリモート／安全なエネルギストレージユニットにルーティングされ、ハザードがアクティブである間該エネルギストレージユニットに貯蔵される。しかしながら、好ましいシステムでは、エネルギは、複数の照明ユニット及び１つ以上のリモートエネルギストレージユニットを含んでもよい、ユニットのネットワーク全体内で再分配されることができる。
【００４７】
このシステムは、照明ユニットのエネルギストレージデバイスを他のエネルギストレージデバイスに放電することにより、ネットワーク化された照明システムを有する建物内の火災リスクを減らす。このようにして、エネルギは、非常用負荷を介す等単に放散されるのではなく、エネルギのより効率的な使用が達成されるようにシステム内で再分配される。エネルギ移動は、システム内の異なるエネルギストレージデバイスの充電及び放電特性、並びにそれらの現在の充電状態を考慮してもよい。斯くして、エネルギ移動は、エネルギストレージデバイスの寿命を維持するように実行されることができる。
【００４８】
この再分配(redistribution)は、リチウムイオンバッテリの容量が、１５０Ｗｈ〜２５０Ｗｈの範囲等の火災ハザードが生じるレベルを超える場合にとりわけ重要である。
【００４９】
ＢＭＳ２４は、最も単純なシステムでは、すべての照明ユニットがリモートエネルギストレージファシリティに放電されるように、単にハザードの存在を示してもよい。しかしながら、ハザード位置を含めることにより、エネルギ移動は、ハザードの近くにある照明ユニット及びハザードの直近から離れた照明の必要性を考慮して、インテリジェントに制御されることができる。斯くして、ハザードの近くの照明ユニットがエネルギを放出し、ハザードから遠く離れた照明ユニットがエネルギを受けてもよい。
【００５０】
この場合、主電源が停電している場合でも、ハザードから遠隔の照明ユニットにおいて照明が依然として提供されることができ、例えば、非常口照明が提供されてもよい。
【００５１】
完全なバッテリの放電は必要とされなくてもよい。例えば、照明システムコントローラは、ハザードの近くの照明ユニットエネルギストレージデバイス内のエネルギを安全な閾値レベルより少し下に低下させるよう構成されてもよい。この場合、貯蔵される化学エネルギは、リスクレベルを下回るが、サイクル寿命のロスを防ぐように維持される。さらに、エネルギは１０分間の使用等の緊急時の使用のために十分であってもよいが、エネルギのかなりの部分は移される。
【００５２】
ハザードが終わった場合、コントローラ２２は、継続的なバックアップ照明を可能にするために、エネルギを受けたエネルギストレージユニットに、該エネルギを照明ユニットに戻すよう指示してもよい。斯くして、再分配されたエネルギは消散せず、依然として使用可能である。
【００５３】
ユニット間のエネルギの移送を可能にするために、接続ライン３０が存在する。このラインは、すべての照明ユニット及びエネルギストレージユニットを相互接続する。
【００５４】
第１の例では、接続ライン３０は、外部主電源３２から各ユニットへの電力供給ラインとして機能してもよい。エネルギ再分配の間、ライン３０は主電源３２からアイソレートされ、この目的のためにアイソレーションスイッチ３４が設けられる。
【００５５】
外部主電源３２がＡＣである場合、この場合のライン３０はＡＣラインである。この場合、各ユニットは、ローカルコントローラ２０、２３の一部としてインバータを備える。中央照明システムコントローラ２２は、アイソレーションスイッチ３４を使用して照明システムをＡＣ主電源入力からアイソレートし、インバータを介してエネルギストレージデバイスの結合を制御するよう構成される。
【００５６】
第２の例では、接続ライン３０は、ＡＣ主電源３２の代わりにＤＣ整流された供給電圧信号を受信し、ゆえに、ライン３０はＤＣラインである。中央照明システムコントローラは、ＤＣラインを介してエネルギストレージデバイスを結合する。
【００５７】
ハイブリッドシステムでは、照明ユニット及びＡＣ主電源を接続するＡＣライン並びに照明ユニット及びエネルギストレージデバイス１６を結合するＤＣラインが存在する。中央照明システムコントローラは、インバータにおける電力損失を回避するために、エネルギ移動にＤＣラインを使用してもよい。
【００５８】
図２は、照明システムを制御する方法を示している。
【００５９】
ステップ４０において、ハザードが、例えばＢＭＳによって生成される火災警報の形態で検出され、好ましくは位置識別と共に、照明システムコントローラに中継される。
【００６０】
ステップ４２において、中央照明システムコントローラは、ハザードに最も近い照明ユニットをネットワークからアイソレートする。例えば、中央照明システムコントローラは、余剰エネルギを持つ照明ユニット及び閾値レベルよりも低いエネルギを持つ照明ユニットをマッピングする。
【００６１】
ステップ４４において、非常用照明が、アイソレートされていない、適切な照明ユニットによって生成される。
【００６２】
ステップ４６において、エネルギが、ハザードの検出に応答して、１つのエネルギストレージデバイス（又はエネルギストレージデバイスのグループ）から別のエネルギストレージデバイス（又はエネルギストレージデバイスの別のグループ）に移される。
【００６３】
ＤＣラインの場合、これは、共通ＤＣグリッドとして機能する、ライン３０へのバッテリポートを開くことにより達成される。ＡＣラインの場合、ローカルインバータが、ＡＣラインに結合するために使用される。
【００６４】
ここで、各照明ユニットは、照明システムコントローラによって、各ユニット内の優勢する充電レベル(prevailing level of charge)及びハザードに対する位置に従ってエネルギを供給する又はエネルギを吸収する(sink)よう指示される。閾値距離(threshold distance)であって、該閾値距離を超えると任意の充電レベルが許可され、該閾値距離を下回ると充電は充電閾値より下に維持されなければならない、閾値距離が存在してもよい。これは、許容される充電のバイナリ定義を提供するが、距離に応じた多数のレベルの許可される充電が存在してもよい。
【００６５】
１つの照明ユニットからの照明ユニットエネルギは、照明システムコントローラによって生成されるエネルギ再分配プランに基づいて、１つ以上の他の照明ユニットと共有されることができる。エネルギ再分配プランは、例えば、人々の避難プランに基づき、事前定義された出口ルート上の照明を維持するために必要とされるエネルギにも基づく。事前定義されたルートはさまざまであり得、ハザード警報が生成される位置に基づく避難プランに依存するであろう。
【００６６】
放電オペレーション(discharge operation)は、例えば、火災ハザードに最も近い地点から開始し、ハザードに対する近接性の順に、順次実行されてもよい。
【００６７】
この方法は、火災ハザードから遠くにエネルギを移すようにデバイスのネットワーク内でエネルギをシフトする。
【００６８】
中央照明システムコントローラ及びＢＭＳは、実際には単一の統合システムコントローラの一部であってもよいことに留意されたい。
【００６９】
システムは、エネルギストレージデバイスを備えない照明ユニットを含んでもよく、ＤＣグリッドは、これら照明ユニットがローカルエネルギストレージを有していない場合でも、これら照明ユニットを点灯するために余剰エネルギが使用されることを可能にしてもよい。
【００７０】
上記のシステムは、ローカルの火災ハザードを減らすために遠く離れたユニット間のエネルギ移送を提供する。追加的な対策は、ローカルバッテリの容量を２つ以上のコンパートメントに分割し、個々のコンパートメントに貯蔵されるエネルギが１００Ｗｈ等の閾値以下に維持されるようにすることである。
【００７１】
図３は、４つの別個のバッテリコンパートメント１４ａ、１４ｂ、１４ｃ、１４ｄを備える照明ユニット５０を示している。より一般的には、第１のエネルギストレージデバイスは、（好ましくは各々１００Ｗｈ以下の容量を有する）複数のバッテリを備え、複数のバッテリは、第１の照明ユニット内で互いにずらして配置される。
【００７２】
バッテリコンパートメントは、それらが直列に接続され得る又は互いにアイソレートされ得るように、スイッチ構成５２によって接続される。スイッチ構成内のスイッチの数は、コンパートメントの数に依存する。火災警報の場合、スイッチは、これらバッテリコンパートメントがアイソレートされるように、開く。避難を支援するために、一組のバッテリセル（１つのコンパートメント）は、避難を支援する照明に必要とされる光出力デバイス１５の最小数のＬＥＤに直接接続されてもよい。電流制限回路も使用されてもよい。
【００７３】
他のコンパートメント内のバッテリは、上記で述べたように電荷の再分配を実施するために放電されてもよい。
【００７４】
このようにして、各コンパートメント内のバッテリに１００Ｗｈ以下の容量を設けることにより、爆発のリスクがさらに低減される。
【００７５】
緊急用照明を提供するために、照明ユニット間で電力を分配するシステムは、上述したように国際特許出願公開第2013/182927号に述べられている。この出願で述べられている照明ユニット間で電荷を移送するためのアーキテクチャは、上記の安全機能を提供するために採用されてもよい。
【００７６】
とりわけ、ＡＣ電力が存在し、ハザード信号がない従来のモードでは、照明ユニットは、バッテリ充電又はトリクル充電モードで、従来の個別のランプとして動作する。ＡＣ電力（すなわち、グリッド主電力）の存在は、例えば、（例えば、コントローラ２２内の）電力監視ユニットによって監視される。ＡＣ電力がない場合、電力監視ユニットは、ＡＣ主電源３２からのローカル分配を切断するためにアイソレータスイッチ３４に信号を送る。
【００７７】
ハザード信号が存在する場合、個々の照明ユニットは、上述したようにアイソレートされてもよい。
【００７８】
この場合、照明ユニットは、データ及び電力伝送用のＤＣネットワークを形成するようにスイッチしてもよい。ＡＣ電力が回復し、もはやハザード信号がない場合、電力監視ユニットは、ＡＣ電力にスイッチするようにすべての照明ユニットに別の信号を送る。
【００７９】
照明システムコントローラは、照明ユニットのバッテリの充電の状態を監視する。照明システムコントローラ及び照明ユニット間の通信は、ＰＬＣ（電力線通信(power line communication)）又は（図１に示されるような）専用の制御ラインを含む若しくは無線の他の任意の従来の手段であってもよい。
【００８０】
各照明ユニットは、アドレス可能な一意の識別可能コードを有する。２つ以上の照明ユニット間でプロトコルハンドシェーキングが完了すると、再分配されるべきエネルギを貯蔵している照明ユニットは、他の照明ユニット又はエネルギストレージユニットに自身のバッテリへのアクセスを許可する。
【００８１】
２つのユニット（照明ユニット又はエネルギストレージユニット）がエネルギを移送している場合、ネットワーク内の他のユニットは、例えば、アイソレートされるか、又は高インピーダンスモードになる。斯くして、結合されるユニットペア間のエネルギ再分配を制御することが可能である。しかしながら、放電特性及び充電特性を局所的に制御して、１つ以上のユニットから１つ以上の他のユニットへの同時移送を行う、より複雑なスキームも可能である。
【００８２】
本発明は、少なくとも部分的にソフトウェアで実施されてもよい。例えば、本方法は、照明システムコントローラ及びビルディングマネジメントシステムによって共同して実施されてもよい。
【００８３】
上述のように、実施形態は、１つ又は複数のコントローラを利用する。当該１つのコントローラ又は複数のコントローラの各々は、必要とされるさまざまな機能を実行するために、ソフトウェア及び／又はハードウェアを用いて、さまざまな方法で実装されることができる。プロセッサは、必要とされる機能を実行するためにソフトウェア（例えば、マイクロコード）を使用してプログラムされ得る１つ以上のマイクロプロセッサを使用するコントローラの一例である。しかしながら、コントローラは、プロセッサを用いて、又はプロセッサを用いずに実装されてもよく、ある機能を実行するための専用ハードウェアと、他の機能を実行するためのプロセッサ（例えば、１つ以上のプログラムされたマイクロプロセッサ、及び関連回路）との組み合わせとして実装されてもよい。
【００８４】
本開示のさまざまな実施形態で用いられてもよいコントローラ構成要素の例には、限定するものではないが、従来のマイクロプロセッサ、特定用途向け集積回路（ＡＳＩＣ(application specific integrated circuit)）、及びフィールドプログラマブルゲートアレイ（ＦＰＧＡ(field-programmable gate array)）等がある。
【００８５】
さまざまな実装例において、プロセッサ又はコントローラは、ＲＡＭ、ＰＲＯＭ、ＥＰＲＯＭ及びＥＥＰＲＯＭ等の揮発性及び不揮発性コンピュータメモリ等の１つ以上の記憶媒体に関連付けられてもよい。記憶媒体は、１つ以上のプロセッサ及び／又はコントローラで実行された場合、必要とされる機能を実行する１つ以上のプログラムでエンコードされてもよい。さまざまな記憶媒体は、プロセッサ若しくはコントローラ内に固定されてもよく、又は格納された１つ以上のプログラムがプロセッサ若しくはコントローラにロードされ得るように、可搬型であってもよい。
【００８６】
開示された実施形態に対する他の変更は、図面、開示、及び添付の特許請求の範囲の研究から、クレームされた発明を実施する際に当業者によって理解され、達成され得る。特許請求の範囲において、「含む（comprising）」という単語は他の要素又はステップを排除するものではなく、不定冠詞「a」又は「an」は複数を除外しない。特定の手段が相互に異なる従属請求項に列挙されているという単なる事実は、これらの手段の組み合わせが有利に使用できないことを示すものではない。請求項中の参照符号は、範囲を限定するものとして解釈されるべきではない。
【図１】
2020517062.tif 000003
【図２】
2020517062.tif 000004
【図３】
2020517062.tif 000005
【国際調査報告】
2020517062.tif 000006
2020517062.tif 000007